(57)【要約】【課題】火災時に複層ガラスの周囲から室外や室内に火炎が噴出したり、複層ガラスの脱落を防止できる建具を提供する。【解決手段】複層ガラス１９と、複層ガラスの周縁部を受ける室外側壁２９と底壁３１を有する金属製の框２３と、複層ガラス１９を框２３に室内側から取り付ける樹脂製の押縁３３と、金属製のガラス受け３５と、金属製のガラス端部カバー３７と、金属製のガラス押え３９とを備え、ガラス受け３５は、框２３の室外側壁２９に沿う室外側面部４１と、框２３の底壁３１に沿う底面部４３とを有し、ガラス端部カバー３７は、複層ガラス１９の端面を覆い、内周面に内周側熱膨張耐火材３２ａを有し、ガラス端部カバー３７の外周面と框２３の底壁３１との間に外周側熱膨張耐火材３２ｃが設けてあり、ガラス押え３９は、複層ガラス１９の室内側見付け面に対向する見付け面部３９ａを有し、ガラス端部カバー３７の外周側でガラス受け３５に取り付けてある。【選択図】図１
2015074909.tif 000002
【特許請求の範囲】
【請求項１】
複層ガラスと、複層ガラスの周縁部を受ける室外側壁と底壁を有する金属製の框と、複層ガラスを框に室内側から取り付ける樹脂製の押縁と、金属製のガラス受けと、金属製のガラス端部カバーと、金属製のガラス押えとを備え、ガラス受けは、框の室外側壁に沿う室外側面部と、框の底壁に沿う底面部とを有する長尺材であり、ガラス端部カバーは、複層ガラスの端面を覆い、内周面に内周側熱膨張耐火材を有し、ガラス端部カバーの外周面と框の底壁との間に外周側熱膨張耐火材が設けてあり、ガラス押さえは、複層ガラスの室内側見付け面に対向する見付け面部を有し、ガラス端部カバーの外周側でガラス受けに取り付けてあることを特徴とする建具。
【発明の詳細な説明】
【技術分野】
【０００１】
本発明は、ドアやサッシ等の建具に関する。
【背景技術】
【０００２】
特許文献１には、金属製の框に複層ガラスの端部を室内側から樹脂製の押縁で取り付ける建具が開示されている。
【先行技術文献】
【特許文献】
【０００３】
【特許文献１】特開２０１０−３７８０４号公報
【発明の概要】
【発明が解決しようとする課題】
【０００４】
しかし、かかる従来の建具では、火災時に樹脂製の押縁が溶融し、複層ガラスの周囲から火炎や煙が室外や室内に噴出したり、複層ガラスが脱落して、延焼につながるおそれがあった。
【０００５】
そこで、本発明は、火災時に複層ガラスの周囲から室外や室内に火炎が噴出したり、複層ガラスの脱落を防止できる建具の提供を目的とする。
【課題を解決するための手段】
【０００６】
請求項１に記載の発明は、複層ガラスと、複層ガラスの周縁部を受ける室外側壁と底壁を有する金属製の框と、複層ガラスを框に室内側から取り付ける樹脂製の押縁と、金属製のガラス受けと、金属製のガラス端部カバーと、金属製のガラス押えとを備え、ガラス受けは、框の室外側壁に沿う室外側面部と、框の底壁に沿う底面部とを有する長尺材であり、ガラス端部カバーは、複層ガラスの端面を覆い、内周面に内周側熱膨張耐火材を有し、ガラス端部カバーの外周面と框の底壁との間に外周側熱膨張耐火材が設けてあり、ガラス押さえは、複層ガラスの室内側見付け面に対向する見付け面部を有し、ガラス端部カバーの外周側でガラス受けに取り付けてあることを特徴とする建具である。
【発明の効果】
【０００７】
請求項１に記載の発明によれば、火災時に樹脂製の押縁が溶融した場合に、金属製のガラス受けとガラス押えとで複層ガラスの端部を保持しているから、複層ガラスの脱落やずれを防止し、複層ガラスの周囲から火炎や煙が室内や室外に噴出するのを防止する。
ガラス端部カバーは複層ガラスの端面を覆うと共に内周面に内周側熱膨張耐火材を設けているので、火災時に内周側熱膨張耐火材が膨張して、複層ガラスの端面を塞ぐので、複層ガラスのガラス間にスペーサを固定している接着剤が溶融して発生した可燃性ガスの噴出やガラス間から火炎や煙が噴出するのを防止する。
ガラス端部カバーの外周面と金属製框の底壁との間に外周側熱膨張耐火材が設けてあるので、火災時に外周側熱膨張耐火材が膨張して、ガラス端部カバーと框との間を塞ぎ、火炎や煙がこれらの間から室内や室外に噴出するのを防止する。
【図面の簡単な説明】
【０００８】
【図１】本発明の実施の形態にかかる建具であって、図２に示すＣ部の拡大図である。
【図２】本発明の実施の形態にかかる建具であって、図１１に示すＡ−Ａ断面図である。
【図３】図１に示すガラス受けを、これに取り付けてある熱膨張耐火材と共に示す図であり、（ａ）は側面図、（ｂ）は底面図である。
【図４】図１に示すガラス端部カバーを、これに取り付けてある熱膨張耐火材と共に示す図であり、（ａ）は側面図、（ｂ）は底面図、（ｃ）は室内側から見た正面図である。
【図５】図１に示すガラス押えの図であり、（ａ）は側面図、（ｂ）は底面図、（ｃ）は室内側から見た正面図である。
【図６】図１に示すガラス敷部材を、これに取り付けてある熱膨張耐火材と共に示す図であり、（ａ）は側面図、（ｂ）は平面図、（ｃ）は底面図である。
【図７】本発明の実施の形態にかかる建具であって、図８に示すＥ部の拡大図である。
【図８】本発明の実施の形態にかかる建具であって、図１１に示す内障子を上に移動して内障子と外障子を重ねた状態をＢ−Ｂ位置で切断して示す断面図である。
【図９】図７に示すガラス端部カバーを、これに取り付けてある熱膨張耐火材と共に示す図であり、（ａ）は側面図、（ｂ）は底面図、（ｃ）は室内側から見た正面図である。
【図１０】図７に示すガラス敷部材を示す図であり、（ａ）は平面図、（ｂ）は室内側から見た正面図、（ｃ）は背面図である。
【図１１】本発明の実施の形態にかかる建具の図であり、（ａ）は室外側から見た正面図であり、（ｂ）は室内側から見た正面図である。
【発明を実施するための形態】
【０００９】
以下に、添付図面を参照して本発明の実施の形態を説明する。図１１に示すように、本発明の実施の形態に係る建具１は、ドアであり、枠３とドア本体５とを備えている。ドア本体５は、ドア框７と、ドア框７の内周に設けた内障子９及び外障子１１とを備え、内障子９と外障子１１とは各々、ドア框７内を上げ下げ自在になっている。
図２及び図８に示すように、ドア框７は、ドア上框１３と、ドア下框１５と、左右のドア竪框１７ａ、１７ｂと四周に組んである。
内障子９と外障子１１とは各々、複層ガラス１９と、複層ガラス１９の周縁部１９ａを受ける金属製の障子框２１とを備え、障子框２１は本実施の形態ではアルミニウム製である。障子框２１は、障子上框（框）２３と、障子下框２５と、左右の障子竪框（框）２７ａ、２７ｂとで複層ガラス１９の周囲を囲んでいる。
図１及び図７に示すように、障子上框２３及び左右の障子竪框（框）２７ａ、２７ｂは、各々室外側壁２９と、底壁３１とを有し、室内側から取り付ける樹脂製の押縁３３で複層ガラス１９を各框２３、２７ａ、２７ｂに固定している。
複層ガラス１９の周縁部には室内側ガラス１９ｂと室外側ガラス１９ｃとの間にスペーサ２０が接着剤で固定してある。
【００１０】
図１に示すように、障子上框２３には、ガラス受け３５と、ガラス端部カバー３７と、ガラス押え３９とが設けてあり、各ガラス受け３５と、ガラス端部カバー３７と、ガラス押え３９とは各々金属製であり、本実施の形態ではスチール製である。
図１及び図３に示すように、ガラス受け３５は、障子上框２３の室外側壁２９に沿う室外側面部４１と、障子上框２３の底壁３１に沿う底面部４３とを有する長尺材であり、室外側面部４１と底面部４３とで断面略Ｌ字形状を成している。図３に示すように、底面部４３には間隔をあけてねじ挿通孔４５が形成してあり、ねじ挿通孔４５を挿通するねじ４７（図１参照）で障子上框２３の底壁３１及び中空部２３ａ内に配置した補強材２８に固定してある。また、底面部４３には、切除部５１が形成してあり、切除部５１には切り起こし５１ａが形成されている。切りお越し５１ａには、後述するガラス押え３９が取り付けてある。
尚、図３（ｂ）は図示を省略しているが、Ｆ部が長手方向の中央線ｆに対し略線対称になっている。
【００１１】
図１及び図４に示すように、ガラス端部カバー３７は、複層ガラス１９の端面１９ａを覆うものであり、複層ガラス１９の端面１９ａの長手方向に沿って設けてある。このガラス端部カバー３７は、複層ガラス１９の端面１９ａに対向する見込み面部３７ａと、室内側見付け面に対向する見付け面部３７ｂとで断面略Ｌ形状を成している。
図１及び図５に示すように、ガラス押え３９は、複層ガラス１９の周囲部において室内側見付け面に対向する見付け面部３９ａと、ガラス受け３５に取り付ける取付部３９ｂとを有しており、見付け面部３９ａはガラス端部カバー３７の見付け面部３７ｂの室内側に重ねてある。
このガラス押え３９は、ガラス受け３５の切除部５１（図３参照）に配置して、切り起こし５１ａに係合して取り付けてある。
【００１２】
図１及び図６に示すように、ガラス敷部材５３は、断面略コ字形状を成しており（図６（ａ）参照）、ガラス端部カバー３７とガラス受け３５の底面部４３との間の空間に配置している。このガラス敷部材５３は、障子上框２３に取付ける取付部５３ａと、複層ガラス１９の端面に対向する対向部５３ｂとを有し、対向部５３ｂをガラス端部カバー３７の外周面側に配置してある。また、図３に示すように、ガラス敷部材５３はガラス受け３５のねじ挿通孔４５の周囲部分に配置してねじ挿通孔４５に挿通するねじ４７でガラス受け３５と共に障子上框２３及び補強材２８に固定してある。
【００１３】
ここで、内障子９及び外障子１１について、各々室内側から見て右側（戸先側）にある障子右竪框２７ｂについて説明するが、上述した障子上框２３と同じ構成部分には、同一の符号を付することにより、その部分の詳細な説明を省略し、以下の説明では障子上框２３と主に異なる点について説明する。また、図８では、障子左竪框２７ａの構造を省略しているが、障子左竪框２７ａと障子右竪框２７ｂとは同じ構造になっている。
図７及び図９に示すように、ガラス端部カバー３７は、複層ガラス１９の上コーナー部を覆うコーナー対向部３７ｃを一体に有している。
図７及び図１０に示すように、ガラス敷部材５３は、対向部５３ｂを挟む位置に取付部５３ａが設けてあり、取付部５３ａのねじ挿通部５３ｃは溝状になっている。
また、障子竪框２７ａ、２７ｂの中空部２３ａに配置される補強材２８は断面略略コ字形状としてある。
図２に示すように、内障子９及び外障子１１において、各障子下框２５には、複層ガラス１９の下端部で、複層ガラス１９の室内側面と外周面と室外側面を覆う断面コ字形状の間口補強材５５と、間口補強材５５の底面にガラス敷板５７が設けてある。
【００１４】
次に、各熱膨張耐火材について説明する。
図１及び図４に示すように、ガラス端部カバー３７には、その見込み面部３７ａの内周側に第１熱膨張耐火材３２ａが長手方向に亘って設けてあり、火災時の熱により膨張して、複層ガラス１９の端面１９ａを覆う。また、ガラス端部カバー３７の見付け面部３７ｂの室外側面には、第２熱膨張耐火材３２ｂが長手方向に設けてあり、火災の熱により膨張して見付け面部３７ｂと複層ガラス１９の端面１９ａの室内側コーナー部との間を塞ぐ。
ガラス端部カバー３７の見込み面部３７ａの外周側面にはその室内側に、第３熱膨張耐火材（外周側熱膨張耐火材）３２ｃが長手方向に亘って設けてあり、火災時の熱により膨張して、複層ガラス１９の端面１９ａの室内側において、ガラス端部カバー３７と障子上框２３の底壁３１との間を塞ぐ。
図１及び図３に示すように、ガラス受け３５には、室外側面部４１の室内側面に第４熱膨張耐火材（外周側熱膨張耐火材）３２ｄが長手方向に亘って設けてあり、底面部４３の内周側面には第５熱膨張耐火材（外周側熱膨張耐火材）３２ｅが設けてある。また、ガラス敷部材５３の対向部５３ｂにも、その内周側面に第６熱膨張耐火材３２ｆが設けてあり、第５熱膨張耐火材３２ｅと共同して長手方向に連続した配置としてある。これらの第４熱膨張耐火材３２ｄ、第５熱膨張耐火材３２ｅ及び第６熱膨張耐火材３２ｆは、火災時の熱により膨張してガラス端部カバー３７とガラス受け３５の底面部４３との間の空間を塞ぐ。
図９に示すように、障子竪框２７ｂのガラス端部カバー３７には、コーナー対向部３７ｃの内周側面に第８熱膨張耐火材３２ｈが設けてあり、火災時の熱により膨張して複層ガラス１９の上コーナー部を塞ぐ。
【００１５】
図２に示すように、ドア上框１３には、その内周側面に第８熱膨張耐火材３２ｋが設けてあり、火災時の熱により膨張して対向する外障子１１の障子上框２３との間を塞ぐ。また、外障子９の障子下框２５には室内側面に第１１熱膨張耐火材３２ｍが設けてあり、内障子１１の上框２３の室外側面には第１２熱膨張耐火材３２ｎが設けてあり、火災時の熱により膨張して外障子９と内障子１１の召し合わせ部を塞ぐ。
外障子９と内障子１１の各下框２５には、間口補強材５５の内周側の室内側に第１３熱膨張耐火材３２ｐが設けてあり、火災時の熱により膨張して間口補強材５５と複層ガラス１９の室内側を塞ぐ。
内障子１１の障子下框２５には、第１４熱膨張耐火材３２ｑが設けてあり、ドア下框１３の室内側には第１５熱膨張耐火材３２ｒが設けてあり、各々、火災時の熱により膨張して内障子９の障子下框２５とドア下框１５との間を塞ぐ。
ドア上框の１３の上端部には樹脂製枠に第１６熱膨張耐火材３２ｓが設けてあり、火災時の熱により膨張して上枠３ａとドア上框１３との間の空間を塞ぐ。
図８に示すように、内障子９及び外障子１１において、障子左框２７ａ及び障子右框２７ｂの外周側には、各々第１７熱膨張耐火材３２ｔが設けてあり、火災時に対応するドア竪框１７ａ、１７ｂとの間を塞ぐ。
更に、左右のドア竪框１７ａ、１７ｂには、内障子９の左障子竪框２７ａが対向する位置、外障子１１の右障子竪框２７ｂが対向する位置に各々第１８熱膨張耐火材３２ｕが設けてあり、火災時の熱により膨張して対向するドア竪框１７ａ、１７ｂと障子竪框２７ａ、２７ｂとの間の空間を塞ぐ。
【００１６】
次に、本実施の形態にかかる建具１の作用及び効果について説明する。図１、図２、図７及び図８に示すように、火災時に樹脂製の押縁３３が溶融した場合に、内障子９と外障子１１について、各々障子上框２３と、左右の障子竪框２７ａ、２７ｂでは、金属製のガラス受け３５とガラス押え３９とで複層ガラス１９の端部を保持しているから、複層ガラス１９の脱落やずれを防止し、複層ガラス１９の周囲から火炎や煙が室内や室外に噴出するのを防止する。
図１及び図７に示すように、内障子９及び外障子１１では、障子上框２３及び左右の障子竪框２７ａ、２７ｂにおいて、ガラス端部カバー３７は複層ガラス１９の端面１９ａを覆うと共に内周面に第１熱膨張耐火材（内周側熱膨張耐火材）３２ａを設けているので、火災時に第１熱膨張耐火材３２ａが膨張して、複層ガラス１９の端面１９ａを覆うので、複層ガラス１９のガラス間にスペーサ２０を固定している接着剤が溶融して発生した可燃性ガスの噴出やガラス間から火炎や煙が噴出するのを防止する。一方、障子下框２５では、室内側に設けてある第１３熱膨張耐火材３２ｐが間口補強材５５の室内側と複層ガラス２３の室内側との間を塞ぐだけなので、複層ガラス１９のガラス間から噴出する可燃性ガスは室外側へ放出され、可燃性ガスが室内側へ噴出して着火するのを防止する。
図１及び図７に示すように、ガラス端部カバー３７の外周面と障子上框２３の底面部４３との間に第３熱膨張耐火材（外周側熱膨張耐火材）３２ｃ、第４熱膨張耐火材（外周側熱膨張耐火材）３２ｄ及び第５熱膨張耐火材（外周側熱膨張耐火材）３２ｅが設けてあるので、火災時にこれらの熱膨張耐火材（外周側熱膨張耐火材）が膨張して、ガラス端部カバー３７と障子上框２３との間を塞ぎ、火炎や煙がこれらの間から室内や室外に噴出するのを防止する。
【００１７】
ガラス端部カバー３７は、複層ガラス１９の室内側見付面の縁部を覆う見付け面部３７ｂを有し、ガラス押え３９がガラス端部カバー３７の見付け面部３７ｂを介して複層ガラス１９の室内側見付け面に対向しているので、複層ガラス１９に金属製のガラス押え３９が直接当たって、ガラスが損傷したり破損するのを防止できる。
図２に示すように、外障子１１の障子下框２５と内障子９の障子上框２３との召し合わせ部に第１１熱膨張耐火材３２ｍ及び第１２熱膨張耐火材３２ｎを設けてあるので、火災時に外障子１１と内障子９との召し合わせ部から火炎が室内側及び室外側へ噴出すのを防止できる。
【００１８】
本発明は、上述した実施の形態に限らず、本発明の要旨を逸脱しない範囲で種々変形可能である。
例えば、建具１は、ドアに限らず、引違いサッシや、ＦＩＸサッシであっても良い。建具１がＦＩＸサッシの場合には、框は枠である。
また、請求項１に記載の外周側熱膨張耐火材は、本実施の形態では、第３熱膨張耐火材３２ｃ、第４熱膨張耐火材３２ｄ、第５熱膨張耐火材３２ｅとしたが、これらの３つの熱膨張耐火材を設けることに限らず、いずれか１つでも良いし、いずれか２つでも良い。
【符号の説明】
【００１９】
１    建具
１９  複層ガラス
１９ａ  端面
２３  障子上框（框）
２７ｂ  障子右框（框）
３３  押縁
３５  ガラス受け
３７  ガラス端部カバー
３９  ガラス押え
３９ａ  見付け面部
３２ａ  第１熱膨張耐火材（内周側熱膨張耐火材）
３２ｃ  第３熱膨張耐火材（外周側熱膨張耐火材）
３２ｄ  第４熱膨張耐火材（外周側熱膨張耐火材）
３２ｅ  第５熱膨張耐火材（外周側熱膨張耐火材）
４３    底面部
【図１】
2015074909.tif 000003
【図２】
2015074909.tif 000004
【図３】
2015074909.tif 000005
【図４】
2015074909.tif 000006
【図５】
2015074909.tif 000007
【図６】
2015074909.tif 000008
【図７】
2015074909.tif 000009
【図８】
2015074909.tif 000010
【図９】
2015074909.tif 000011
【図１０】
2015074909.tif 000012
【図１１】
2015074909.tif 000013